(57)【要約】【課題】柄２を上方延長させた背棒３の上下両端から保護板５，５を前方突出する本体部材１と、基板１２前面から複数櫛歯１３を上下に並設させて前方突出する櫛歯部材１１とを、上下両保護板５，５間へ櫛歯部材１１を位置させて嵌合させた櫛において、基板１２の上下両端部後面と該後面と対向する背面前面部分とが形成する微少間隙２１内へ、髪が挟まれないよう設けた。【解決手段】上記基板１２の上下両端面から、弾性板１７，１７  を突出させて、これ等弾性板先端部を、弾性板突出部分よりも前方の両保護板５，５部分内面へ、弾性弯曲状態で弾性圧接させた。【選択図】  図３
2004147974.tif 000002
【特許請求の範囲】
【請求項１】
柄２を上方延長させて背棒３となし、該背棒前面の上下両端部から保護板５，５を前方突出させた本体部材１と、
上下両端部を除く基板１２の前面から、複数櫛歯１３を上下に並設させて前方突出する櫛歯部材１１とからなり、
基板１２の上下両端面と両保護板５との間に間隙をおいて、基板１２後面を背棒３前面へ面接触させて嵌合させた、上記二部材嵌合式の櫛において、
上記基板１２の上端面から上方へ、又下端面から下方へ、それぞれ突出させた弾性板１７先端部を、これ等弾性板突出部分よりも前方の両保護板部分内面へ弾性弯曲状態で弾性圧接させた
ことを特徴とする櫛。
【請求項２】
上記本体部材１と櫛歯部材１１とを着脱自在に嵌合させた
ことを特徴とする請求項１記載の櫛。
【請求項３】
上記上下両保護板５，５の各内面へ突条６，６を横設して、これ等両突条後面へ、上記弾性板１７先端部を弾性圧接させた
ことを特徴とする、請求項１記載の櫛。
【請求項４】
上記柄２を、容器体取付け用の筒状とすると共に、背棒３も筒状となし、又上下両保護板５間の背棒部分前面には複数の透孔４を穿設しておき、
又櫛歯部材の各櫛歯を流出孔１５付きとすると共に基板後面から各櫛歯の流出孔とそれぞれ連通する複数の嵌合筒１４を後方突出させておき、
上記各透孔４内へ各嵌合筒１４を水密にかつ着脱自在に嵌合させ、
容器体への取付け状態にあっては、容器体内液体が、柄、背棒、嵌合筒、櫛歯内を通って櫛歯先端部に開孔させた流出口１６から流出可能に形成した
ことを特徴とする、請求項１、２又は３記載の櫛。
【発明の詳細な説明】
【０００１】
【発明の属する技術分野】
本発明は櫛に関する。
【０００２】
【従来の技術】
柄を上方延長させた背棒前面の上下両端から、櫛歯兼用の保護板を前方へ突出させた本体部材と、基板前面から複数櫛歯を上下に並設させて前方突出する櫛歯部材とを、該櫛歯部材を上記両保護板間の背棒前面部分間へ嵌合させた中空の、容器体取付け用の中空の櫛が知られている（例えば特許文献１参照）。
【０００３】
【特許文献１】
特開平１０−３２４３４０  号公報
【０００４】
【発明が解決しようとする課題】
上記のような櫛は、使用時に上記基板後面の上下両端と、これ等両端部が接する背棒前面部分との間に小さな隙間が出来易く、すると櫛使用時にその隙間内へ髪が挟み込まれて髪が櫛により無理に引抜きされることがあった。
【０００５】
本発明はそのような髪の引き抜きが生じないよう設けたものである。
【０００６】
【課題を解決するための手段】
第１の手段として柄２を上方延長させて背棒３となし、該背棒前面の上下両端部から保護板５，５を前方突出させた本体部材１と、
上下両端部を除く基板１２の前面から、複数櫛歯１３を上下に並設させて前方突出する櫛歯部材１１とからなり、
基板１２の上下両端面と両保護板５との間に間隙をおいて、基板１２後面を背棒３前面へ面接触させて嵌合させた、上記二部材嵌合式の櫛において、    上記基板１２の上端面から上方へ、又下端面から下方へ、それぞれ突出させた弾性板１７先端部を、これ等弾性板突出部分よりも前方の両保護板部分内面へ弾性弯曲状態で弾性圧接させた。
【０００７】
第２の手段として、上記第１の手段を有すると共に、上記本体部材１と櫛歯部材１１とを着脱自在に嵌合させた。
【０００８】
第３の手段として、上記第１の手段を有すると共に上記上下両保護板５，５の各内面へ突条６，６を横設して、これ等両突条後面へ、上記弾性板１７先端部を弾性圧接させた。
【０００９】
第４の手段として、上記第１、第２又は第３の手段を有すると共に上記柄２を、容器体取付け用の筒状とすると共に、背棒３も筒状となし、又上下両保護板５間の背棒部分前面には複数の透孔４を穿設しておき、
又櫛歯部材の各櫛歯を流出孔１５付きとすると共に、基板後面から各櫛歯の流出孔とそれぞれ連通する複数の嵌合筒１４を後方突出させておき、
上記各透孔４内へ各嵌合筒１４を水密にかつ着脱自在に嵌合させ、
容器体への取付け状態にあっては、容器体内液体が、柄、背棒、嵌合筒、櫛歯内を通って櫛歯先端部に開孔させた流出口１６から流出可能に形成した。
【００１０】
【発明の実施の形態】
以下図面について説明すると、１は本体部材で、該本体部材は柄２と、その柄を上方延長させて形成した背棒３を有する。図示例では柄を容器体取付け用の筒状とし、かつ背棒３も柄と連通する、上端面閉塞の筒状としている。その背棒３の前面３ａは垂直な平面として、その上下方向間に複数の透孔４を穿設している。又その上下両端部からは櫛歯兼用の保護板５，５を前方へ突出させている。又それ等両保護板の後部内面へは突条６，６を横設させている。
【００１１】
１１は櫛歯部材で、該櫛歯部材は基板１２の上下両端部を除く前面部分から複数の櫛歯１３を並設させて前方突出させ、又その基板後面からは各櫛歯の後方に位置させて嵌合筒１４を後方突出させている。各櫛歯はその中心線上に流出孔１５を有し、該流出孔と嵌合筒が有する筒孔とは連通させ、流出孔は各櫛歯前部の上下方向へ穿設した孔と連通させて、その孔を流出口１６としている。更に上記基板の上下両端面からは図１が示すように弾性板１７，１７  を外方突出させている。図示のように弾性板は基板両端面の左右両部から突出させてもよく、全面或いは一部から突出させてもよい。
【００１２】
上記櫛歯部材１１は、図３が示すように本体部材１の背棒前面へ、又嵌合筒１４を各透孔４内へ水密に、かつ着脱可能に嵌合させる。このとき既述弾性板１７，１７  は、その先端の後面が、弾性板突出部分よりも前方の両保護板５部分内面へ、弾性弯曲状態で弾性圧接するよう設ける。図示のように突条６を保護板５内面へ横設したときは、弾性板先端部が突条６の後面へ弾性圧接するよう設ける。
【００１３】
尚両保護板５，５の内面を、前端部間距離よりも後端部間距離が短かくなるようにやや傾斜させ、かつ両弾性板の上下端部間の距離を、上記保護板前端部間距離とほぼ等しく、又保護板後端部間距離よりもやや大としておくことで、櫛歯部材１１後部を両保護板間へ押込むにつれて両弾性板１７，１７  を前方へ弾性弯曲させることが出来る。
【００１４】
上記構成とした櫛で髪を梳くと、各櫛歯間および上下両端の櫛歯と両保護板５，５間に相当数の毛髪が入り、それ等間隙内を櫛歯後方側へ移動する。上下両端の櫛歯と保護板５間に入った毛髪は、上記弾性板１７前面に接し、該弾性板を後方へ押圧するが、これ等両弾性板先端は、その先端部後面を、弾性板突出部分よりも前方の両保護板部分内面へ弾性圧接して弾性弯曲状態に圧接しているから、それ等弾性板と保護板間を通過することは出来ず、よって基板の上下突出部分１２ａ  ，１２ａの後面と、これ等後面が接する背棒前面部分との間の微少間隙２１内へ毛髪が入り、挟持されることはない。
【００１５】
既述実施形態の場合は、胴部圧搾式の容器体、ポンプ付きの容器体又エアゾール式容器体等への取付けが可能に、容器体内液体を柄、背棒、嵌合筒、更に各櫛歯内を通って櫛歯先端から流出させることが可能な中空櫛について説明したが、本発明の櫛は必ずしもそのような中空の櫛でなくてもよく、本体部材と櫛歯部材との二部材で形成され、それ等両部材を既述のように着脱可能に形成したものであれば足りる。尚この場合の両部材の着脱は、背棒３前面と基板１２後面の各上下方向数ヶ所に嵌合用突部と凹部を設けてこれ等を着脱自在に嵌合させればよい。
【００１６】
【発明の効果】
本発明は既述構成とするものであり、請求項１又は２記載のように形成することで、櫛歯部材１１の上下両端の櫛歯と、保護板５，５間に入った毛髪は、弾性板１７，１７  によってそれ等間隙の奥部、つまり背棒３前面の上下両部へ達することはなく、よって基板１２の上下突出部分１２ａ，１２ａ  の後面と、これ等後面が接する背棒前面３ａとが形成する微少間隙２１内に毛髪が挟まれ髪が抜けることを防止することが出来る。
【００１７】
即ち、既述従来例の場合は、その微少間隙２１は、図４のように基板１２上下の突出部分１２ａ，１２ａ  後面と、これ等後面が接する背棒３前面部分との間に形成され、よって上下両端の櫛歯１３と両保護板５間に入った毛髪は、髪を梳くことで背棒前面の上下両部に接し、その髪梳きを続けることで上記微少間隙２１内へ入込み、摺動不能に挟持されて毛髪を無理に引抜くこととなるが、本発明では既述弾性板１７，１７  が上記微少間隙２１が形成される、背棒３前面の上下まで毛髪が入らないよう設けたから、上記微少間隙２１による、毛髪の強制引抜きを確実に防止させることが出来る。
【００１８】
請求項３のようにすることで、突条６，６は、毛髪が弾性板１７，１７  先端部と保護板５，５との間に接することを防止することとなり、よって請求項１記載の効果を更に確実とすることが出来る。
【００１９】
請求項４のようにすることで、髪梳きと同時に薬液等を髪に塗布することが出来る便利がある。
【図面の簡単な説明】
【図１】本発明櫛の分解斜視図である。
【図２】図１櫛を形成する二部材嵌合方法を示す説明図である。
【図３】図１櫛要部の拡大断面図である。
【図４】従来例櫛の拡大断面図である。
【図５】図４Ａ−Ａ線を矢示方向へみた断面図である。
【符号の説明】
１…本体部材            ２…柄
３…背棒                    ５…保護板
６…突条                １１…櫛歯部材
１２…基板                      １３…櫛歯
１４…嵌合筒              １５…流出孔
１６…流出口                            １７…弾性板
２１…微少間隙
【図１】
2004147974.tif 000003
【図２】
2004147974.tif 000004
【図３】
2004147974.tif 000005
【図４】
2004147974.tif 000006
【図５】
2004147974.tif 000007